(57)【要約】【課題】創意と収納功能を有する家具構造の提供。【解決手段】本考案の家具構造は、プロフィル形状を限定しない上フレームと、下フレーム、少なくとも一つの内フレームと複数の板棒からなり、上下フレームの下面と上面は周囲プロフィルに沿ってそれぞれ直角、或いは、傾斜槽を有する。内フレームは周囲が封閉したフレーム体で、上下フレームの間に設置される。複数の板棒の両端はそれぞれ、上フレームと下フレームの槽中に挿入され、且つ、板棒の両端の間は内フレームに抵接し、固定素子により板棒を内フレーム中に固定して、板棒編製の家具を構成する。家具はテーブルや座椅子等として使用できる。【選択図】    図８
0003130485.tif 000002
【実用新案登録請求の範囲】
【請求項１】
創意と収納功能を有する家具構造であって、
プロフィル形状を限定せず、下面が周囲プロフィルに沿って環状槽を有する上フレーム、と、
プロフィル形状を限定せず、上面が周囲プロフィルに沿って環状槽を有する下フレームと、
両端がそれぞれ、前記上フレームと前記下フレームの環状槽内に挿入され、前記上下フレームを連接する複数の板棒と、
周囲が封閉し、且つ、プロフィル形状を制限しないフレーム体で、前記上下フレームの間に設置され、且つ、前記板棒の内側面に抵接し、固定素子により前記板棒を固定する少なくとも一つの内フレームと、
からなることを特徴とする家具構造。
【請求項２】
前記内フレームの外径は前記上下フレームの外径より大きく、且つ、前記上下フレームの環状槽は外側方向に傾斜する環状槽で、前記板棒を外側にと突出する形態に編製することを特徴とする請求項１に記載の家具構造。
【請求項３】
前記内フレームの外径は前記上下フレームの外径より小さく、且つ、前記上下フレームの環状槽は内側方向に傾斜する環状槽で、前記板棒を中心に縮入する形態に編製することを特徴とする請求項１に記載の家具構造。
【請求項４】
前記内フレームの外径は前記上下フレームの環状槽の内径に等しく、且つ、前記上下フレームの槽は環状槽で、前記板棒を直立状に編製することを特徴とする請求項１に記載の家具構造。
【考案の詳細な説明】
【技術分野】
【０００１】
板棒で編製した家具構造に関する。
【背景技術】
【０００２】
公知の板棒で製造した家具構造は、その構造はフレーム体と編織体を有し、編織体は多孔の造型を編織し、フレーム体と編織体の組み合わせ構造は粘着か線材により穿設縫合する方式で編織体をフレーム体内側に固定するものである。別の公知の家具構造は、織職体は複数の縦竹と横竹により、藤線を利用して交錯固定することにより構成され、よって、編製速度は遅く、コストも高い。
【考案の開示】
【考案が解決しようとする課題】
【０００３】
本考案は、視覚創意に富み、編製が快速、便利な板棒編製の家具構造を提供することを目的とする。
【課題を解決するための手段】
【０００４】
本考案は、主に、竹材の撓性特徴を活かし、更に、プロフィル造型を有する内フレームを引導とし、板棒両端を上フレームと下フレームの槽内に固定し、上下フレームの板棒は内フレーム辺縁に抵接し、固定素子により固定され、視覚創意効果を有する家具構造を構成する。
【０００５】
本考案の家具構造は、プロフィル形状を限定しない上フレームと、下フレーム、少なくとも一つの内フレームと複数の板棒からなり、上下フレームの下面と上面は周囲の輪郭プロフィルに沿ってそれぞれ環状の槽を有する。内フレームは周囲が封閉したフレーム体で、上下フレームの間に設置される。複数の板棒の両端はそれぞれ、上フレームと下フレームの環状傾斜角槽中に挿入され、且つ、板棒の両端の間は内フレームに抵接し、固定素子により板棒を内フレーム中に固定して、板棒編製の家具を構成する。
【考案の効果】
【０００６】
本考案により、視覚創意に富み、編製が快速、便利な板棒編製の家具構造が提供される。
【考案を実施するための最良の形態】
【０００７】
図１と図２は、本考案の側面を外側に突出させた弧面を編製する机、或いは、椅子の家具の実施例を示す。本構造は、上フレーム１、下フレーム２、複数の板状の板棒３、板棒３内側面に配置された内フレーム５、及び、板棒３を内フレームに固定するロープ４（前述の固定素子）、からなる。上フレーム１は円形、四角形、或いは、その他のいかなるプロフィル形状の環フレームに設計され、且つ、下フレーム２も円形、四角形、或いは、その他のいかなるプロフィル形状の環フレームに設計される。よって、板棒３の両端はそれぞれ、上フレーム１の下面と下フレーム２の上面に設けられた槽内に挿入されて配列し、板棒３は外側に突出する。上フレーム１の上面はテーブル板を使用して机として使用できる。テーブル板を取り外す時、上フレーム１の開口から物品を収容することができる。
【０００８】
図２は、本考案の図１で示される素子と構造を示し、複数の異なる直径の内フレーム５を設置し、複数の板棒３の両端はそれぞれ上下フレーム１、２内の槽に挿入され、且つ、ロープ４により板棒３を異なる直径の内フレーム５に固定し、側面が流線弧面の家具を構成する。図２で示される家具上方に、パッド７を嵌設し（図４）、特殊な造型の座椅子とすることができる。
【０００９】
図５は、本考案の板棒３を外側方向に突出して編製した実施例の構造を示す図である。外径が上下フレーム１、２より大きい内フレーム５を提供し、上フレーム１の下面と下フレーム２の下面は外側方向に傾斜した環状傾斜角槽１１、２１を設置し、これにより、板棒３の両端はそれぞれ別に上下フレーム１、２の環状傾斜角槽１１、２１に挿入され（図２）、且つ、板棒３が内フレーム５辺縁に抵接する時、板棒３により外側方向に突出する桶状の造型を構成する。板棒３は前述の編製工程中、ロープ４を固定素子とし、板棒３を内フレーム５に固定し、座椅子を構成し、上フレーム１上方は、柔軟な感触のパッドを嵌設して、実用座椅子を提供する。この他、下フレーム２は環フレーム状の設計であり、よって、座椅子を反対して下フレーム２を上方に向けたとき、下フレーム２の環フレーム状により形成される開口から物品を出し入れでき、貯蔵桶として使用できる。
【００１０】
内フレーム５の外径が上下フレーム１、２の外径より小さい時、上下フレームを内側方向に傾斜した環状傾斜角槽１１、２１に設置し（図６）、よって、板棒３両端はそれぞれ、上下フレームが設置する環状傾斜角槽１１、２１内に挿入され、且つ、板棒３が内フレーム５辺縁に抵接する時、板棒を中心方向に縮入する造型を構成する（図７）と共に、ロープ４により各板棒３を内フレーム５に固定する。上フレーム上方は柔軟な感触のパッド７を嵌設し（図８）、実用座椅子を提供する。この他、図９は、本考案の座椅子の上フレーム１の一側を上方に延伸させて背もたれを構成し、座り心地を更に快適にする。
【００１１】
図１０は本考案の板棒３を直立状態で上フレーム１と下フレーム２の間に結合し、円桶状（図１１）、或いは、側面が弧状を呈する四角形の収納箱（図１２）、或いは、側面が直立状の収納箱（図１３）等の家具を編製する図である。図１０で示されるように、この方向で編製する時、上フレーム１と下フレーム２の槽に設置する位置は環状槽１３、２２に対応し、且つ、内フレーム５の外径が環状槽１３、２２の内径と等しくなければならず、これにより、板棒３両端を上下フレームの環状槽１３、２２に挿入し、且つ、固定素子により板棒３を内フレーム５に固定する。
【００１２】
図１４は、本考案の内フレームを特殊、或いは、不規則形状に設計し、前述の上下フレーム体（図１４で図示されない）も内フレームに対応する相同形状に設計でき、板棒両端を上下フレームの環状槽に固定し、且つ、内フレームに抵接固定した後、特殊形態の家具造型を編製する。
【図面の簡単な説明】
【００１３】
【図１】本考案の板棒を外側方向に突出させ、桶状の座椅子を編製する実施例の平面図である。
【図２】図１のAA方向の平面断面図である。
【図３】本考案の板棒を側面が流線弧面を呈する家具を編製する実施例を示す図である。
【図４】図３で示される家具上方にパッドを嵌設し、座椅子とする実施例を示す図である。
【図５】図２の実施例構造中、板棒と上フレーム、及び、下フレームの組み合わせ関係の局部平面断面図である。
【図６】本考案の板棒両端を上下フレームの環状傾斜槽に挿入し、板棒を内側方向に凹入させた実施例の平面分解図である。
【図７】図６の素子組み合わせ後の構造の実施例を示す図である。
【図８】本考案の板棒を中心方向に凹入させたもう一種の形態の座椅子に編製する実施例の平面図である。
【図９】本考案の背もたれを有する座椅子の実施例図である。
【図１０】本考案の板棒両端を上下フレームの環状槽に挿入し、板棒が直立状を呈する実施例の平面分解図である。
【図１１】本考案の板棒を直立状に円桶状に編製した実施例を示す図である。
【図１２】本考案の板棒を側面が弧度を有する収納箱を編製する実施例の立体図である。
【図１３】本考案の板棒を側面が直立面を有する収納箱に編製する実施例の立体図である。
【図１４】本考案の不規則状に編製した家具を示す図である。
【符号の説明】
【００１４】
１        上フレーム
１１      環状傾斜角槽
１２      開口
１３      環状直角槽
２        下フレーム
２１      環状傾斜角槽
２２      環状槽
３        板棒
４        ロープ
５        内フレーム
６        テーブル
７        パッド
【図１】
0003130485.tif 000003
【図２】
0003130485.tif 000004
【図３】
0003130485.tif 000005
【図４】
0003130485.tif 000006
【図５】
0003130485.tif 000007
【図６】
0003130485.tif 000008
【図７】
0003130485.tif 000009
【図８】
0003130485.tif 000010
【図９】
0003130485.tif 000011
【図１０】
0003130485.tif 000012
【図１１】
0003130485.tif 000013
【図１２】
0003130485.tif 000014
【図１３】
0003130485.tif 000015
【図１４】
0003130485.tif 000016